(57)【要約】【課題】抗張力繊維を縦添えした金属管型光ファイバケーブルに光コネクタを簡単に、信頼性良く取り付けられる接続構造を提供する。【解決手段】金属管型光ファイバケーブル１を、端末部の被覆５を剥がして抗張力繊維４が金属管３よりも長く露出する状態に処理し、露出した金属管３にスリーブ６、７を抗張力繊維４を内側に通してはめ、スリーブ７をかしめた後に抗張力繊維４をスリーブ７の外側に折り返してスリーブ６の内側に挿入し、次にスリーブ６をかしめて金属管３の外周に固定し、以上の処理を行った金属管型光ファイバケーブルの端末部を、光コネクタのブーツに設けた溝にスリーブ６を抜止め状態に係止させてはめ込むようにした。【選択図】  図３
2004252070.tif 000002
【特許請求の範囲】
【請求項１】
単心又は多心の光ファイバ心線の外周に金属管を配置し、その金属管の外周に抗張力繊維を縦添えし、さらにその外側に被覆を配置した構造の金属管型光ファイバケーブルを、端末部の被覆を剥がして抗張力繊維が金属管よりも長く露出する状態に処理し、この金属管型光ファイバケーブルの端末部に露出した金属管に、第１スリーブとこの第１スリーブよりも金属管の先端側に配置する第２スリーブを前記抗張力繊維を内側に通してはめ、第２スリーブの内側を通り抜けた抗張力繊維を第２スリーブの外側に折り返して第１スリーブの内側に挿入し、第１、第２スリーブをかしめて金属管の外周に固定するか又は第１、第２スリーブと抗張力繊維を金属管に接着剤で接着固定し、以上の処理を行った金属管型光ファイバケーブルの端末部を、光コネクタのブーツに設けた溝に第１スリーブを抜止め状態に係止させてはめ込むようにした、抗張力繊維を縦添えした金属管型光ファイバケーブルと光コネクタの接続構造。
【請求項２】
単心又は多心の光ファイバ心線の外周に金属管を配置し、その金属管の外周に抗張力繊維を縦添えし、さらにその外側に被覆を配置した構造の金属管型光ファイバケーブルを、端末部の被覆を剥がして抗張力繊維が金属管よりも長く露出する状態に処理し、この金属管型光ファイバケーブルの端末部に露出した金属管に、第１スリーブを前記抗張力繊維を内側に通してはめ、この第１スリーブの内側を通り抜けた抗張力繊維を第１スリーブの外側に折り返した後、第１スリーブの外周に第２スリーブを重ね、この第２スリーブと第１スリーブを折り返した抗張力繊維を間に挟む状態にして同時にかしめて金属管の外周に固定し、以上の処理を行った金属管型光ファイバケーブルの端末部を、光コネクタのブーツに設けた溝に第１、第２スリーブの少なくともどちらか一方を抜止め状態に係止させてはめ込むようにした、抗張力繊維を縦添えした金属管型光ファイバケーブルと光コネクタの接続構造。
【発明の詳細な説明】
【０００１】
【発明の属する技術分野】
この発明は、抗張力繊維を縦添えした金属管型光ファイバケーブルに光コネクタを取り付けるための接続構造に関するものである。
【０００２】
【従来の技術】
金属管型光ファイバケーブルを機器に対してコネクタ接続する場合、光ファイバ心線の外周を覆って保護している金属管を光コネクタに確実に連結して光ファイバ心線に強い引っ張り力が加わらないようにし、さらに、この状態でコネクタとの接続部に屈曲の自由度（可撓性）を与えて機器への接続を容易化することが要求される。
【０００３】
このための接続構造の従来技術としては、例えば、下記特許文献１に示されるものがある。
【０００４】
【特許文献１】
特開平６−１１８２７２号公報
【０００５】
この特許文献１の接続構造は、心線保護用金属管の先端近傍に複数の穴を設け、さらに、光コネクタまたは光コネクタとの接続部品に、光ファイバ心線と金属管との間に挿入する円筒部と係合爪を有する弾性片を設け、金属管に設けた前記穴に弾性片の係合爪を係止させて光コネクタまたは光コネクタとの接続部品に金属管を接続するようにしている。
【０００６】
このほかにも、ケーブル端末部の保護部材をフレキ管（可撓性管）に置き換え、このフレキ管の一端をケーブルの被覆に固定し、他端に光コネクタをネジで固定して取り付けた光ファイバ加工品が市販されている。
【０００７】
【発明が解決しようとする課題】
金属管型光ファイバケーブルの金属管の外径は一般的に数ｍｍ程度と非常に細い。特許文献１の接続構造では、その細い金属管に係合爪を係止させるための穴をあける必要があり、その穴の加工が難しくなる。特に、この穴は寸法精度、位置精度が要求されるため、加工は困難を究める。
【０００８】
また、端末加工は金属管に光ファイバ心線が収納された状況下で行うので、穴あけ時に内部の光ファイバ心線を傷つけたり、断線させる虞もある。
【０００９】
なお、金属管に設ける穴の寸法精度、位置精度がラフになると、光コネクタの引き留めが不十分になって光ファイバ心線の保護効果が低下する。
【００１０】
このほか、特許文献１の接続構造は、接続部品が複雑な形状になり、製造コストの面でも不利になる。
【００１１】
また、フレキ管を使用するものは、光コネクタに対するフレキ管の固定を小サイズのネジで行うため、ネジ締め時の作業性が悪い。
【００１２】
この発明は、これ等の不具合を無くした光コネクタの接続構造を提供することを課題としている。
【００１３】
【課題を解決するための手段】
上記の課題を解決するため、この発明においては、単心又は多心の光ファイバ心線の外周に金属管を配置し、その金属管の外周に抗張力繊維を縦添えし、さらにその外側に被覆を配置した構造の金属管型光ファイバケーブルを、端末部の被覆を剥がして抗張力繊維が金属管よりも長く露出する状態に処理し、この金属管型光ファイバケーブルの端末部に露出した金属管に、第１スリーブとこの第１スリーブよりも金属管の先端側に配置する第２スリーブを前記抗張力繊維を内側に通してはめ、第２スリーブの内側を通り抜けた抗張力繊維を第２スリーブの外側に折り返して第１スリーブの内側に挿入し、第１、第２スリーブをかしめて金属管の外周に固定するか又は第１、第２スリーブと抗張力繊維を金属管に接着剤で接着固定し、以上の処理を行った金属管型光ファイバケーブルの端末部を、光コネクタのブーツに設けた溝に第１スリーブを抜止め状態に係止させてはめ込むようにした、抗張力繊維を縦添えした金属管型光ファイバケーブルと光コネクタの接続構造を提供する。この構造で第２スリーブをかしめ固定する場合には、その第２スリーブのかしめを抗張力繊維を折り返す前に行うのがよい。
【００１４】
また、上記と同様の端末処理を行ってケーブルの端末部に露出させた金属管に、第１スリーブを前記抗張力繊維を内側に通してはめ、この第１スリーブの内側を通り抜けた抗張力繊維を第１スリーブの外側に折り返した後、第１スリーブの外周に第２スリーブを重ね、この第２スリーブと第１スリーブを折り返した抗張力繊維を間に挟む状態にして同時にかしめて金属管の外周に固定し、以上の処理を行った金属管型光ファイバケーブルの端末部を、光コネクタのブーツに設けた溝に第１、第２スリーブの少なくともどちらか一方を抜止め状態に係止させてはめ込むようにした、抗張力繊維を縦添えした金属管型光ファイバケーブルと光コネクタの接続構造も併せて提供する。
【００１５】
【作用】
この発明の接続構造は、光ファイバケーブルの一般的な端末処理と同様の処理、即ち、被覆剥がし、露出した抗張力繊維と金属管の余長部切除を行った後、スリーブを用いて抗張力繊維をスリーブのかしめ又はスリーブに対する接着によって引き留めるので、金属管に係止用の穴をあける必要が無く、ネジ止めや電源を要する工具も不要であり、光コネクタ接続の作業性が向上する。
【００１６】
また、抗張力繊維の引き留めに使用する部品が単純な構造のスリーブであるので、部品の製作が簡単で、部品価格も抑えることができる。
【００１７】
さらに、抗張力繊維を２個のスリーブを用いて、しかも折り返した状態にして引き留めるので、抗張力繊維の固定力が大きくなり、接続部の耐引っ張り強度が高まる。
【００１８】
このほか、第１、第２スリーブを重ねて同時にかしめるものは、かしめ作業を１回行えばよく、作業性がより良くなる。
【００１９】
なお、スリーブの引き留めは光コネクタのブーツで行うので、光コネクタの先端側の屈曲の自由度も確保され、機器への接続は支障無く行える。
【００２０】
【発明の実施の形態】
図１に、この発明の接続構造の実施形態を示す。図中１は金属管型光ファイバケーブル、２０は後部にブーツ２１を取り付けた光コネクタである。
【００２１】
金属管型光ファイバケーブル１は、、図２に示すように、単心または多心の光ファイバ心線２の外周を金属管３で覆って保護し、さらに、金属管３の外周にケーブルの引っ張り強度を高める抗張力繊維４を縦添えして設け、その外側をさらに被覆５で覆ったものを用いる。
【００２２】
この金属管型光ファイバケーブル１の端末部の被覆５を所要長さ剥ぎ取り、さらに、露出した金属管３と抗張力繊維４の余長部を切除して光ファイバ心線２を所要長さ露出させる。このとき、抗張力繊維４の露出部は、金属管３の露出部よりも長く切り残す。
【００２３】
以上の処理を行った後、２個の金属スリーブを用いて抗張力繊維４の引き止めを行う。その作業は、図３から図５の手順で行う。
【００２４】
図３の端末処理は、外周に係止片６ａ（図のそれは鍔）を有するスリーブ６と単純な円筒のスリーブ７を、それ等のスリーブの内側に剥ぎ出した抗張力繊維４を通して金属管３の外周に順にはめ、その後にまず、スリーブ７をかしめて金属管３の外周に固定し、このスリーブ７と金属管３との間に抗張力繊維４を挟み込む。次いで、抗張力繊維４の先端側をスリーブ７の外面に沿わせて折り返して係止片付きスリーブ６の内側に挿入し、その後、スリーブ６をかしめて金属管３の外周に固定する。こうして２ヵ所で抗張力繊維４を固定したら金属管型光ファイバケーブル１の端末部を光コネクタのブーツ２１に設けられている溝２２（図１参照）にはめ込み、係止片６ａをブーツ２１に係止させて端末部をコネクタ２０から抜止めする。なお、光ファイバ心線２の端末はフェルール２３をつけてコネクタ２０のハウジングに組み込む。
【００２５】
図４の端末処理は、図３と同じ形状のスリーブ６、７を用い、このスリーブ６、７をかしめずに接着剤で固定する。即ち、剥ぎ出した金属管３の外側にスリーブ６をはめた後に図中ａ部に接着剤８を塗布し、その後スリーブ７をはめ、抗張力繊維４の先端側をスリーブ７の外面に沿わせて折り返して係止片付きスリーブ６の内側に挿入する。その後、図中ｂ部に再度接着剤８を塗布し、スリーブ６、７と抗張力繊維４を金属管３に接着固定する。この構造でも、抗張力繊維４が複数箇所で固定され、その抗張力繊維４の引き留めが確実になされて接続部の引っ張り強度が高まる。この図４の処理を行った端末部も図３の端末部と同様にして光コネクタ２０に接続する。なお、図３の端末部に用いるスリーブ６、７はかしめが可能な金属スリーブになるが、図４の端末部に用いるスリーブ６、７は接着剤で接着できるものであればよく、材質は特に限定されない。
【００２６】
図５の端末処理は、ケーブルの被覆５の端部にはめる大径部９ａと露出した金属管３の外周にはめる小径部９ｂとを有する異形スリーブ９と、スリーブ９よりも大径で後部に内、外の双方に突出する係止片１０ａを有するスリーブ１０を用いて抗張力繊維４を引き留める。
【００２７】
異形スリーブ９をケーブルの被覆５に突き当たる位置にはめ、異形スリーブ９の内側を通り抜けた抗張力繊維４をスリーブ９の外周に沿って折り返す。その後、スリーブ１０を小径部９ｂの外側にはめ、このスリーブ１０とスリーブ９の小径部９ｂを外側から同時にかしめる。この端末処理部は、かしめを１回行うだけで２個のスリーブ９、１０が固定され、また、抗張力繊維４もスリーブ９の小径部９ｂと金属管３との間、及び小径部９ｂとスリーブ１０との間に挟み込まれて２箇所で固定され、作業性と抗張力繊維４の固定力が向上する。
【００２８】
なお、図５の処理を行った金属管型光ファイバケーブル１は、処理した端末部を光コネクタ２０のブーツ２１に設けられている溝２２（図１参照）にはめ込み、係止片１０ａをブーツ２１に係止させてコネクタから抜止めする。この構造の場合、係止片１０ａはスリーブ９に設けてもよく、その係止片をスリーブ９、１０の両者に設けることもできる。
【００２９】
【発明の効果】
以上述べたように、この発明の接続構造は、金属管の外周に縦添えされた抗張力繊維を２個のスリーブを用いてケーブルの端末部に剥ぎ出された金属管の外周に固定し、さらに、抗張力繊維の固定に利用したスリーブを光コネクタのブーツに係止させてケーブル端末部に光コネクタを取り付けるので、金属管に係合用の穴をあけたり、端末部の保護材をフレキ管に置き換えてそのフレキ管に光コネクタをネジ止めしたりする必要がなく、光コネクタの装着の容易化と、抗張力繊維の固定力向上、およびそれによる接続部の信頼性向上が図れる。
【００３０】
また、スリーブは複雑な加工が不要で安価に作製でき、接続コストの低減も図れる。
【００３１】
なお、２個のスリーブを重ねて同時にかしめるものは、かしめ作業を１回行えばよく、作業性がより良くなる。
【図面の簡単な説明】
【図１】この発明の接続構造の実施形態を示す部分破断平面図
【図２】抗張力繊維を縦添えした金属管型光ファイバケーブルの斜視図
【図３】金属管型光ファイバケーブルの端末処理の第１形態を示す図
【図４】金属管型光ファイバケーブルの端末処理の第２形態を示す図
【図５】金属管型光ファイバケーブルの端末処理の第３形態を示す図
【符号の説明】
１      金属管型光ファイバケーブル
２      光ファイバ心線
３      金属管
４      抗張力繊維
５      被覆
６、７  スリーブ
６ａ    係止片
８      接着剤
９      異形スリーブ
９ａ    大径部
９ｂ    小径部
１０    スリーブ
１０ａ  係止片
２０    光コネクタ
２１    ブーツ
２２    溝
２３    フェルール
【図１】
2004252070.tif 000003
【図２】
2004252070.tif 000004
【図３】
2004252070.tif 000005
【図４】
2004252070.tif 000006
【図５】
2004252070.tif 000007